(57)【要約】【課題】位置に依存した複数の植物のそれぞれの温度環境のばらつきを低減することができる植物育成装置を提供する。【解決手段】植物育成装置１００は、複数の容器５０および温度調節部４０を備えている。複数の容器５０のそれぞれは、茎２０ｂ１または茎２０ｂ２の先端が通過する開口部５０Ａを有し、茎２０ｂ１または茎２０ｂ２の先端側の部分を内包するように上下が反転した状態で設置され、少なくとも一部が光透過性を有する。温度調節部４０は、複数の容器５０内の複数の空間の温度分布のばらつきが抑制されるように複数の空間の温度を調節する。【選択図】図１
2017147970.tif 000002
【特許請求の範囲】
【請求項１】
それぞれが、１または２本以上の茎の先端が通過する開口部を有し、前記１または２本以上の茎の先端側の部分を内包するように上下が反転した状態で設置され、少なくとも一部が光透過性を有する複数の容器と、
前記複数の容器内の複数の空間の温度分布のばらつきが抑制されるように前記複数の空間の温度を調節する温度調節部と、を備えた、植物育成装置。
【請求項２】
前記２本以上の茎は、１つの株を構成する複数の茎である、請求項１に記載の植物育成装置。
【請求項３】
前記複数の容器のうちの隣接する容器同士は、互いに接触するように設置されるか、または、一体成形された、請求項１または２に記載の植物育成装置。
【請求項４】
前記温度調節部は、
加熱部および吸熱部のうちの少なくともいずれか一方を有し、前記加熱部および前記吸熱部のうちの少なくともいずれか一方の周辺を通過する流体の温度を調節する温度変化部と、
前記温度変化部から前記流体を送り出すポンプと、
それぞれが前記温度変化部と前記複数の容器のうちのいずれか１つとの間で前記流体を循環させる複数の環状流路と、を含む、請求項１〜３のいずれかに記載の植物育成装置。
【請求項５】
前記複数の環状流路のそれぞれは、前記複数の容器のうちのいずれか１つに巻き付けられた透明な環状流路である、請求項４に記載の植物育成装置。
【請求項６】
前記温度調節部は、それぞれが前記複数の容器のいずれか１つに取り付けられた複数の温度変化部を含み、
前記複数の温度変化部のそれぞれは、空気に熱を与える加熱部および前記空気から熱を受け取る吸熱部のうちの少なくともいずれか一方を有する、請求項１〜３のいずれかに記載の植物育成装置。
【請求項７】
前記加熱部は、前記容器の上下方向の中央部より下側の位置に取り付けられ、前記吸熱部は、前記容器の上下方向の中央部より上側の位置に取り付けられた、請求項６に記載の植物育成装置。
【請求項８】
前記温度調節部は、
加熱部および吸熱部のうちの少なくともいずれか一方を有し、前記加熱部および前記吸熱部のうちの少なくともいずれか一方の周辺を通過する空気の温度を調節する温度変化部と、
前記温度変化部から前記空気を送り出す送風部と、
それぞれが前記温度変化部から前記複数の空間のうちのいずれか１つまで前記空気を導く複数のダクトと、を含む、請求項１〜３のいずれかに記載の植物育成装置。
【請求項９】
前記複数のダクトのそれぞれは、前記複数の容器の下側の位置から前記複数の空間のうちのいずれか１つまで延びる、請求項８に記載の植物育成装置。
【請求項１０】
前記温度変化部によって温度が調節された空気の湿度を調節する湿度調節部をさらに備えた、請求項８または９に記載の植物育成装置。
【請求項１１】
前記複数の容器のそれぞれは、前記容器内の空間への前記１または２本以上の茎の先端の進入を許容する切れ込み、隙間、または貫通孔を有し、前記容器の内部空間と前記容器の外部空間とを仕切る弾性部材を含む、請求項１〜１０のいずれかに記載の植物育成装置。
【請求項１２】
それぞれが、前記複数の容器のいずれか１つに設けられ、前記開口部と前記１または２本以上の茎との間の隙間が相対的に大きな開状態から前記開口部と前記１または２本以上の茎との間の隙間が相対的に小さな閉状態へ変化する複数の可動部を備えた、請求項１〜１０のいずれかに記載の植物育成装置。
【発明の詳細な説明】
【技術分野】
【０００１】
植物を人工的に育成するための植物育成装置に関する。
【背景技術】
【０００２】
従来から植物が植物育成装置内で人工的に育成されている。従来の植物育成装置においては、植物の育成者は、空調設備を利用して植物を育成する空間の全体の空気の温度を管理している。そのため、多数の植物の周辺の大空間の空気の温度が一括して制御されている。
【先行技術文献】
【特許文献】
【０００３】
【特許文献１】特開２０１３−２５５４３９号公報
【特許文献２】特開２０１４−１２４１６７号公報
【発明の概要】
【発明が解決しようとする課題】
【０００４】
上記した従来の植物育成装置によれば、育成される位置に依存して複数の植物の温度環境にばらつきが生じてしまう。そのため、複数の植物のそれぞれは、異なる温度環境下で育成される。その結果、従来においては、位置ごとに複数の植物の成長の度合にばらつきが生じてしまう。
【０００５】
本発明は、このような従来技術の有する課題に鑑みてなされたものである。そして、本発明の目的は、複数の植物の周辺の温度環境のばらつきを抑制することができる植物育成装置を提供することである。
【課題を解決するための手段】
【０００６】
上記課題を解決するために、本発明のある態様に係る植物育成装置は、それぞれが、１または２本以上の茎の先端が通過する開口部を有し、前記１または２本以上の茎の先端側の部分を内包するように上下が反転した状態で設置され、少なくとも一部が光透過性を有する複数の容器と、前記複数の容器内の複数の空間の温度分布のばらつきが抑制されるように前記複数の空間の温度を調節する温度調節部と、を備えている。
【発明の効果】
【０００７】
本発明によれば、複数の植物の周辺の温度環境のばらつきを抑制することができる。
【図面の簡単な説明】
【０００８】
【図１】本発明の実施の形態１の植物育成装置の全体構成を説明するための縦断面の模式図である。
【図２】本発明の実施の形態１の植物育成装置の複数の容器の横断面図であって、図１のＩＩ−ＩＩ線断面図である。
【図３】本発明の実施の形態２の植物育成装置の全体構成を説明するための縦断面の模式図である。
【図４】本発明の実施の形態２の植物育成装置の複数の容器の横断面図であって、図３のＩＶ−ＩＶ線断面図である。
【図５】本発明の実施の形態３の植物育成装置の全体構成を説明するための縦断面の模式図である。
【図６】本発明の実施の形態３の植物育成装置の複数の容器の横断面図であって、図５のＶＩ−ＶＩ線断面図である。
【図７】本発明の実施の形態４の植物育成装置の全体構成を説明するための縦断面の模式図である。
【図８】本発明の実施の形態４の植物育成装置の複数の容器の横断面図であって、図７のＶＩＩＩ−ＶＩＩＩ線断面図である。
【図９】本発明の実施の形態５の植物育成装置の全体構成を説明するための縦断面の模式図である。
【図１０】本発明の実施の形態５の植物育成装置の複数の容器の横断面図であって、図９のＸ−Ｘ線断面図である。
【図１１】本発明の実施の形態６の植物育成装置の全体構成を説明するための縦断面の模式図である。
【図１２】本発明の実施の形態６の植物育成装置の複数の容器の横断面図であって、図１１のＸＩＩ−ＸＩＩ線断面図である。
【図１３】本発明の実施の形態７の植物育成装置の複数の容器の横断面図であって、それぞれの可動部材が開いている状態を示す図である。
【図１４】本発明の実施の形態７の植物育成装置の複数の容器の横断面図であって、それぞれの可動部材が閉じている状態を示す図である。
【発明を実施するための形態】
【０００９】
以下、図面を参照しながら、実施の形態の植物育成装置を説明する。
【００１０】
各実施の形態において、同一の参照符号が付されている部位は、同一の機能を有するものとする。したがって、特に必要がなければ、同一参照符号が付された部位の機能の説明は繰り返さない。
【００１１】
以下に説明される各実施の形態の各図面においては、容器５０が筐体１に対して相対的に大きく描かれているが、筐体１とその他の部分との大きさの比率は、実際には、各図に描かれた比率と大きく異なる場合がある。
【００１２】
（実施の形態１）
図１および図２を用いて、実施の形態１の植物育成装置１００を説明する。
【００１３】
図１に示されるように、本実施の形態の植物育成装置１００は、植物２０を収容する筐体１を備えている。筐体１は、１つの天井面部１１、４つの側面部１２、および１つの底面部１３を有する直方体形状をなしている。筐体1は、植物２０の育成者が内部空間に出入りするための扉を有している。
【００１４】
筐体１の内部空間は、仕切部２によって地下空間９１と地上空間９２とに分離されている。地下空間９１においては、植物２０の地下部２１が成長する。地上空間９２においては、植物２０の地上部２２が成長する。仕切部２は、開口部２Ａを有している。植物２０の地下部２１は、塊茎２０ａ、根２０ｃ、および複数の茎２０ｂ１，２０ｂ２を含んでいる。塊茎２０ａは、筐体１の側面部１２に固定された網１０の上に置かれている。塊茎２０ａから延びる根２０ｃは、網１０の目を通過して、養液６に浸っている。塊茎２０ａから延びる複数の茎２０ｂ１，２０ｂ２は、地下空間９１から開口部２Ａを経由して地上空間９２まで延びている。
【００１５】
図１に示されるように、実施の形態の植物育成装置１００は、１つの植物２０の地下部２１の上方に位置付けられるように設置された複数の容器５０を備えている。複数の容器５０のそれぞれは、直方体の６つの面のうちの１つの面のみが開口部となっている。ただし、容器５０は、一般にコップまたはバケツとして機能する部分を有していれば、いかなる形状を有していてもよい。本実施の形態においては、複数の容器５０のそれぞれは、開口部５０Ａが下方を向くように、上下反転された状態で、植物２０の地下部２１の上方に設置されている。
【００１６】
図１においては、２つの茎２０ｂ１，２０ｂ２が２つの容器５０に１つずつ挿入されている例が描かれているが、これは複数の容器５０のそれぞれに１または２本以上の茎が挿入される一例を示すためのものである。容器５０のそれぞれに挿入される茎の数は、複数の容器５０内の複数の空間の温度分布のばらつきを抑制でき、植物２０の成長に悪影響が生じないのであれば、特に限定されていない。ただし、１つの容器５０に挿入される茎の数は、極力少ないことが好ましい。
【００１７】
また、図１においては、１つの植物２０のみが筐体１内で育成されているが、実際には、図１に示される植物育成装置１００の筐体１内の奥行方向に沿って、複数の植物２０が列をなす状態で育成されている。植物育成装置１００の奥行方向において、複数の容器５０等は、図１に示される構造と同様の構造を有している。つまり、図１に示された２つの容器５０は、複数の容器の一例であり、実際の筐体１内には、多数の容器５０およびそれに対応する多数の植物２０が存在している。
【００１８】
複数の容器５０のそれぞれは、同一の形状および同一の大きさを有していることが望ましい。また、複数の容器５０の数は、植物２０から延びる複数の茎の数に対応していることが好ましいが、複数の茎の数よりも多ければよい。複数の容器５０のそれぞれは、多少の弾性を有していてもよいが、植物２０の複数の茎２０ｂ１，２０ｂ２の成長に応じて形状が変化しない程度の剛性を有していることが好ましい。また、複数の容器５０のそれぞれの全てが透明であることが好ましい。ただし、複数の容器５０のそれぞれは、内側に光を進入させるための光透過部、すなわち、透明部および開口部のうちの少なくともいずれか一方を有していればよい。また、複数の容器５０のそれぞれは、たとえば、ガラス材料で形成されていてもよいが、軽量化の観点から、透明なプラスチックまたは透明なゴム等で形成されていてもよい。
【００１９】
図１に示されるように、複数の容器５０には、１対１の対応で、複数の位置固定部５１が取り付けられている。複数の位置固定部５１のそれぞれは、複数の側面部１２のいずれかに固定されている。複数の位置固定部５１のそれぞれは、複数の容器５０のいずれか１つと筐体１とを固定している。それにより、複数の容器５０は、地下部２１の上方に位置付けられている。ただし、位置固定部５１は、天井面部１１に固定されていてもよい。また、位置固定部５１は、仕切部２と複数の容器５０とを固定するものであってもよい。位置固定部５１は、これらに限定されない。植物育成装置１００は、複数の容器５０を地下部２１の上方に位置付ける何らかの部分を有していればよい。さらに、植物育成装置１００が位置固定部５１を有しておらず、複数の容器５０が仕切部２の上に直接置かれていてもよい。
【００２０】
図１に示されるように、本実施の形態の複数の容器５０のそれぞれは、仮想角柱の側面を形作る部分および仮想角柱の一方の底面を形作る部分からなり、角柱の他方の底面に開口部５０Ａが形成されている。つまり、本実施の形態においては、複数の容器５０のそれぞれは、その一方端が完全に閉塞された閉塞端を構成し、かつ、その他方端が開口部を有する開放端を構成する角筒形状を有している。言い換えれば、複数の容器５０のそれぞれの上側端が透明部材で閉塞された角型の筒状部材である。そのため、容器５０は、一般的な容器が上下反転された状態で、すなわち、開口部５０Ａが下方を向く状態で、植物２０の上方に設置されている。さらに、容器５０の底面の開口部５０Ａには、後述される弾性部材５５が取り付けられている。弾性部材５５は、容器５０の内部空間と容器５０の外部空間とを仕切っている。なお、複数の容器５０のそれぞれは、一方端が閉塞され、かつ、他方端が開放された円筒形状を有していてもよい。
【００２１】
前述のように、複数の容器５０は、それぞれ、光を内側に通過させる光透過部を有している。具体的には、複数の容器５０のそれぞれの少なくとも一部が透明材料によって形成されていればよいが、複数の容器５０のそれぞれの全体が透明材料で形成されていてもよい。
【００２２】
また、上述した容器５０は、一方端が閉塞され、かつ、内部に中空を有する管形状を有していれば、多少の突起や窪み、孔、曲がり部、または付随的な部分を有していてもよい。複数の容器５０のそれぞれの光透過部は、光をその内側に透過するものであれば、無色透明および有色透明のいずれであってもよい。
【００２３】
天井面部１１には、光源５が設けられている。光源５は、制御部３０に制御されることにより、地上空間９２に光を照射する。それにより、光源５が発した光は、地上空間９２から開口部２Ａを経由して地下空間９１へ進入する。光源５は、自ら発光する発光体を有していてもよいが、導光路内を導かれた太陽光を植物２０の地上部２２に照射する光放出部であってもよい。複数の茎２０ｂ１，２０ｂ２は、光に誘導されるように伸長する。そのため、複数の茎２０ｂ１，２０ｂ２の先端は、地下空間９１から開口部２Ａを経由して地上空間９２へ到達する。複数の茎２０ｂ１，２０ｂ２の先端が地上空間９２に到達した後、開口部２Ａは、必要に応じて、柔軟性を有するスポンジ等の培地によって閉塞されてもよい。
【００２４】
図１から分かるように、本実施の形態の植物育成装置１００においては、植物２０は、塊茎２０ａから延びる根２０ｃを養液６に浸すことによって根２０ｃから栄養を吸収しながら、塊茎２０ａから複数の茎２０ｂ１，２０ｂ２を伸長させる。つまり、植物育成装置１００は、水耕栽培装置である。この水耕栽培装置によって栽培される植物２０としては、ジャガイモ等の根菜類が挙げられる。
【００２５】
図１に示されるように、本実施の形態の植物育成装置１００を用いて水耕栽培を実行する場合、まず、植物２０の地下部２１は地下空間９１で栽培される。
【００２６】
植物育成装置１００が光源５を有していない場合、複数の容器５０を用いて透明の筐体１内で植物２０が栽培されてもよい。この場合、太陽光が透明の筐体１および透明の容器５０を通過して、植物２０の地上部２２に到達する。
【００２７】
複数の容器５０の材質は、光透過性が高い材料が好ましい。そのため、複数の容器５０が、たとえば、アクリル樹脂またはポリカーボネート樹脂によって構成されていることが好ましい。
【００２８】
本実施の形態の植物２０の育成方法においては、植物２０の育成者が複数の容器５０のそれぞれに茎２０ｂ１，２０ｂ２を１本ずつ手作業で挿入してもよい。また、植物２０の複数の茎２０ｂ１，２０ｂ２が自然に成長することによって、複数の容器５０のそれぞれに１本ずつ挿入されてもよい。この場合、容器の数が植物の茎の数よりも多い場合には、複数の容器のうちのいずれかの容器に茎が挿入されていなくてもよい。また、複数の茎の数が複数の容器の数よりも多い場合には、いくつかの茎が間引かれてもよい。
【００２９】
図１に示されるように、複数の容器５０のそれぞれは、地下部２１から延びる複数の茎２０ｂ１，２０ｂ２のうちのいずれか１つのみが挿入されるように配置されている。具体的には、図２において、一方の容器５０および他方の容器５０は、いずれも、開口部５０Ａを通過した茎２０ｂ１および茎２０ｂ２の先端を１つずつ受け入れる。この状態で、茎２０ｂ１および茎２０ｂ２からそれぞれ葉２２１および葉２２２が成長する。
【００３０】
ただし、植物２０の成長に悪影響が与えられないのであれば、複数の容器５０のいずれかが、２本以上の茎を受け入れてもよい。つまり、複数の容器５０のそれぞれは、１または２本以上の茎２０ｂ１，２０ｂ２の先端が通過する開口部５０Ａを有し、１または２本以上の茎２０ｂ１，２０ｂ２の先端側の部分を内包するように開口部Ａ５０が下側を向く状態で設置されていればよい。いずれの場合も、複数の容器５０内の複数の空間の温度環境のばらつきが抑制されていればよい。
【００３１】
図１に示されるように、光源５は、複数の容器５０の上方に設けられている。そのため、複数の容器５０のそれぞれの上側の透明材料からなる面を通過した光が植物２０に照射される。複数の容器５０のそれぞれは、少なくとも一部が光透過性を有していればよい。
【００３２】
植物育成装置１００は、温度調節部４０を備えている。温度調節部４０は、複数の空間の温度分布のばらつきが抑制されるように複数の容器５０内の複数の空間の温度を調節する。本実施の形態においては、温度調節部４０は、温度変化部Ａ、ポンプＰ、および複数の環状流路Ｄを含んでいる。
【００３３】
温度変化部Ａは、透明な環状流路Ｄの途中に設けられている。温度変化部Ａは、加熱部Ａ１および吸熱部Ａ２を有している。加熱部Ａ１および吸熱部Ａ２は、その周辺を通過する流体の温度を調節する。透明な環状流路Ｄを流れる流体は、容器５０内の空間に熱を伝達する熱伝達媒体として機能する。ただし、温度変化部Ａは、加熱部Ａ１および吸熱部Ａ２のいずれか一方のみを含んでいるものであってもよい。
【００３４】
ポンプＰは、温度変化部Ａから流体を送り出す。複数の環状流路Ｄのそれぞれは、温度変化部Ａと複数の容器５０のうちのいずれか１つとの間で流体を循環させる。これにより、１つの温度調節部４０で、複数の空間の温度調節を行うことができる。制御部３０は、温度変化部Ａの加熱部Ａ１の発熱量および吸熱部Ａ２の吸熱量を制御する。それにより、流体の温度が調節される。
【００３５】
透明な環状流路Ｄ内を流れる熱伝達媒体としての流体は、冷水、温水、またはポリエチレングリコールなどが挙げられる。ただし、流体は、液体以外に気体、たとえば、空気であってもよい。この場合、ポンプＰは、エアーポンプである。複数の容器５０のそれぞれに巻き付けられた透明な環状流路Ｄには、温度変化部Ａによって温度調整された同一の温度を有する熱伝達媒体が流れる。そのため、複数の容器５０内のそれぞれの空気の温度は、実質的に同一の温度に維持される。つまり、複数の容器５０内の複数の空間の温度分布のばらつきが抑制される。
【００３６】
また、透明な環状流路Ｄは、透明かつ柔軟性を有するゴムチューブで形成されている。複数の透明な環状流路Ｄのそれぞれは、複数の容器５０のうちのいずれか１つに巻き付けられている。そのため、植物２０の地上部２２に照射される光の量を低減することなく、複数の容器５０内の複数の空間の温度調節の精度を高めることができる。なお、容器５０が円筒形状の場合、透明な環状流路Ｄは、容器５０に螺旋状に巻き付けられていることが好ましい。
【００３７】
本実施の形態においては、透明な環状流路Ｄが容器５０の外部に設けられているため、容器５０内の空間全体を植物２０が成長する空間として有効に利用することができる。ただし、透明な環状流路Ｄが、容器５０のいずれかの面を貫通しており、かつ、透明な環状流路Ｄの一部が容器５０の内部に設けられていてもよい。この場合、各容器５０内の空気の温度をより一層均一化させる観点から、隣接する容器５０の側面同士が接触しているか、または、容器５０の側面が一体化されていることが望ましい。
【００３８】
上記の本実施の形態の植物育成装置１００は、それぞれが複数の茎２０ｂ１，２０ｂ２のいずれか１本を内包する複数の容器５０内の複数の空間の温度の均一化を容易に図ることができる。その結果、１つの大きな空間の温度調節をする場合に比較して、複数の植物２０をより均一な温度条件の下で育成することができる。また、上記の構成によれば、大きな空間の温度を制御する場合に比較して、温度制御に要する電力消費量を低減することができる。
【００３９】
図１に示されるように、本実施の形態においては、複数の容器５０のそれぞれは、その下端の開口部２Ａに弾性部材５５が取り付けられている。弾性部材５５は、容器５０の内部空間と容器５０の外部空間とを仕切っている。図１では描かれていないが、弾性部材５５と茎２０ｂ１または茎２０ｂ２と間には、植物２０の成長に必要な空気の入れ換えのための隙間が残存している。
【００４０】
図２に示されるように、本実施の形態においては、弾性部材５５は、二等辺三角形の複数の弾性片５５１，５５２，５５３，５５４，５５５，５５６，５５７，５５８によって構成されている。複数の弾性片５５１，５５２，５５３，５５４，５５５，５５６，５５７，５５８のそれぞれは、容器５０の内側面に接着されている。複数の弾性片５５１，５５２，５５３，５５４，５５５，５５６，５５７，５５８同士の間の境界が切れ込みとして機能する。複数の茎２０ｂ１，２０ｂ２は、いずれも、その切れ込みを押し分けて、容器５０の内部空間へ進入する。
【００４１】
ただし、弾性部材５５は、容器５０内の空間への１または２本以上の茎２０ｂ１，２０ｂ２の進入を許容するものであれば、切れ込み以外に、隙間または貫通孔を有していてもよい。また、本実施の形態の弾性部材５５は、それぞれが独立した複数の弾性片５５１，５５２，５５３，５５４，５５５，５５６，５５７，５５８からなるが、１つの弾性部材の一部に切れ込み、隙間、または貫通孔が設けられたものであってもよい。
【００４２】
前述の弾性部材５５が容器５０に設けられているため、容器５０内の空間と筐体１内の空間との間での空気の流れが制限される。そのため、容器５０内の空間の温度の調節をより容易にすることができる。また、植物２０の地上部２２の成長に好ましい温度と植物２０の地下部２１の成長に好ましい温度とが異なる場合においても、地上部２２の温度調節に起因して地下部２１に悪影響が与えられることを抑制することができる。なお、容器５０の内部空間と容器５０の外部空間との間の開口部５０Ａを経由しての空気の出入りが、複数の容器５０の温度分布のばらつきを抑制する機能をそれほど大きく低下させない場合がある。この場合、弾性部材５５は容器５０の開口部５０Ａに設けられていなくてもよい。
【００４３】
（実施の形態２）
以下、図３および図４を用いて、実施の形態２の植物育成装置１００を説明する。本実施の形態の植物育成装置１００は、実施の形態１の植物育成装置１００とほぼ同様である。そのため、以下、本実施の形態の植物育成装置１００と実施の形態１の植物育成装置１００との相違点を主に説明する。
【００４４】
本実施の形態においては、複数の容器５０のうちの隣接する容器５０同士は、互いに接触するように設置されている。そのため、複数の容器５０内の複数の空間同士の間での容器５０の側壁を媒介とした熱貫流に起因した複数の容器５０内の複数の空間の温度の均一化の効果を向上させることができる。また、複数の容器５０のうちの隣り合う２つの容器５０同士が互いに接触するように設けられていると、各容器５０内の空間を大きくしながら、平面視における複数の容器５０の全体の占有面積を小さくすることができる。また、複数の容器５０のうちの隣接する容器５０同士が一体化されていてもよい。この場合、複数の容器５０を一体成形により形成することができるため、複数の容器５０の製造効率が向上する。
【００４５】
また、複数の温度調節部４０のそれぞれが、温度変化部として、空気に熱を与える加熱部４１および空気から熱を吸収する吸熱部４２を有している。言い換えると、複数の温度調節部４０は、複数の容器５０に１対１の関係で設けられている。そのため、１つの温度変化部で複数の容器５０内の複数の空間の温度を調節する場合に比較して、１つあたりの温度変化部の能力を小さくすることができる。本実施の形態においては、複数の容器５０のそれぞれにおいて、加熱部４１は同一の加熱能力を有し、吸熱部４２は同一の吸熱能力を有している。
【００４６】
制御部３０は、複数の容器５０のそれぞれにおいて、加熱部４１および吸熱部４２を同一の態様で制御する。したがって、複数の容器５０内の複数の空間の温度は、ほぼ同一の値に調節される。なお、加熱および吸熱のいずれか一方で複数の容器５０のそれぞれの温度を調節することができる場合には、複数の温度調節部４０のそれぞれが、加熱部４１および吸熱部４２のいずれか一方のみを有していてもよい。
【００４７】
加熱部４１は、容器５０の上下方向の中央部より下側の位置に取り付けられ、吸熱部４２は、容器５０の上下方向の中央部より上側の位置に取り付けられている。そのため、容器５０内の空気の対流を利用して効率的に容器５０内の空間の温度を調節することができる。
【００４８】
加熱部４１は、容器５０の下端部の外周面に設けられている。加熱部４１は、本実施の形態においては、電熱ヒーターである。加熱部４１により、容器５０の側面が加熱される。それにより、容器５０内の空気を加熱することができる。容器５０内で暖められた空気は、容器５０の下端部から上方に移動する。つまり、容器５０内の対流によって、容器５０内の空気が均一に加熱される。
【００４９】
吸熱部４２は、容器５０の上端部の外周面に設けられている。吸熱部４２は、本実施の形態においては、ペルチェ素子の吸熱側の部分である。ペルチェ素子の発熱側の部分（図示せず）は、容器５０から離れた位置に設けられていることが好ましい。吸熱部４２により、容器５０の側面が冷却される。それにより、容器５０内の空気を冷却することができる。容器５０内で冷却された空気は、容器５０の上端部から下方へ移動する。つまり、容器５０内の空気は、対流によって均一に冷却される。
【００５０】
本実施の形態においては、制御部３０は、無線または有線の形態で電気信号を温度調節部４０に送信する。それにより、制御部３０は、複数の容器５０のそれぞれの温度調節部４０を同一の態様で制御する。つまり、複数の容器５０のそれぞれにおいて、制御部３０は、加熱部４１および吸熱部４２を同様の態様で制御する。それにより、複数の容器５０内のそれぞれの空気の温度は、実質的に同一の温度に調整される。つまり、複数の容器５０内の複数の空間の温度分布のばらつきが抑制される。
【００５１】
また、本実施の形態の温度調節部４０によれば、加熱部４１および吸熱部４２が複数の容器５０内のそれぞれの空間の温度を直接調節する。そのため、温度変化部と複数の容器５０のそれぞれとの間で熱伝達媒体を循環させる場合に比較して、熱伝達媒体の循環経路でのエネルギー損失が生じない。したがって、温度調節部４０による容器５０内の空気の温度調節のためのエネルギー効率をより向上させることができる。
【００５２】
本実施の形態においては、温度調節部４０を構成する加熱部４１および吸熱部４２が容器５０の外部に設けられている。そのため、容器５０内の空間全体を植物２０が成長する空間として有効に利用することができる。ただし、加熱部４１および吸熱部４２が容器５０の内部に設けられていてもよい。この場合、容器５０そのものおよび容器５０の外部の空間の加熱または冷却のために要するエネルギー損失を低減することができる。したがって、温度調節部４０による容器５０内の空気の温度調節のためのエネルギー効率をより向上させることができる。
【００５３】
（実施の形態３）
以下、図５および図６を用いて、実施の形態３の植物育成装置１００を説明する。本実施の形態の植物育成装置１００は、実施の形態２の植物育成装置１００とほぼ同様である。そのため、以下、本実施の形態の植物育成装置１００と実施の形態２の植物育成装置１００との相違点を主に説明する。
【００５４】
図５および図６に示されるように、本実施の形態においては、温度調節部４０は、温度変化部４３、送風部４６、複数のダクト４４、および吸気流路４７を含んでいる。
【００５５】
図６に示されるように、温度変化部４３は、加熱部４３Ａおよび吸熱部４３Ｂを有している。温度調節部４０は、筐体１を貫通する吸気流路４７から筐体１の外部の空気を吸い込み、その空気が加熱部４３Ａおよび吸熱部４３Ｂの周辺を通過するときに、吸い込まれた空気の温度を調節する。ただし、温度調節部４０は、加熱部４３Ａおよび吸熱部４３Ｂのうちのいずれか一方のみを含んでいてもよい。図５および図６においては、容器５０が誇張して大きく描かれているため、温度調節部４０が相対的に小さく描かれているが、温度調節部４０と他の部分との大きさの比率は、実際には大きく異なる場合がある。
【００５６】
送風部４６は、温度変化部４３から空気を送り出す。送風部４６は、一般的に使用されているファンである。複数のダクト４４のそれぞれは、送風部４６が生成した気流を温度変化部４３から複数の空間のうちのいずれか１つまで導くように設けられている。温度変化部４３によって同一の温度に調節された空気は、複数のダクト４４のそれぞれに流れ込む。そのため、複数の容器５０内の温度は、実質的に同一になる。このように、本実施の形態においては、１つの温度変化部４３で、複数の空間の温度をほぼ同一の値に調節することができる。
【００５７】
複数のダクト４４のそれぞれは、複数の容器５０の下側の位置から複数の空間のうちのいずれか１つまで延びている。そのため、複数のダクト４４が光源５から植物２０の地上部２２へ向かう光を遮らない。したがって、光源５から植物２０の地上部２２へ照射される光の量を低減することなく、複数の容器５０内の複数の空間の温度調節を行うことができる。
【００５８】
上記の構成によっても、複数の容器５０内の複数の空間の温度分布のばらつきが抑制される。本実施の形態によれば、１つの温度変化部４３を設けるだけで複数の容器５０内の複数の空間の温度を実質的に同一にすることができる。そのため、温度変化部４３の数を低減することができる。また、温度調節部４０のうちのダクト４４の先端部以外の部分は容器５０内に存在しないため、容器５０内のスペース効率を向上させることができる。
【００５９】
温度調節部４０によって温度調節された空気は、複数のダクト４４のそれぞれから容器５０内へ送り込まれ、それにより、容器５０内の空間を満たす。その後、温度調節された空気は、容器５０の弾性部材５５に形成された隙間、貫通孔、切欠き等を通過して筐体１内の空間から筐体１の外部へ自然に排出される。したがって、複数の容器５０の外部の筐体１内の空気の温度にかかわらず、複数の容器５０のそれぞれの内部の空気の温度は、常に実質的に同一の温度に維持される。
【００６０】
温度調節部４０から容器５０までのダクト４４の距離を短くするために、複数の温度調節部４０のそれぞれが、複数の容器５０のいずれか１つの近傍に設けられていてもよい。これにより、ダクト４４でのエネルギー損失を低減することができる。
【００６１】
また、複数のダクト４４のそれぞれから容器５０内の空間へ流れる風が生成されるため、複数の植物２０のそれぞれの成長に適した環境を形成することができる。また、複数の容器の５０のそれぞれにおいて、容器５０の外部と容器５０の内部との間で空気を自然に置換することができるため、植物２０の成長に必要な二酸化炭素を植物２０に自動的に供給することができる。
【００６２】
植物育成装置１００は、温度変化部４３内に設けられ、加熱部４３Ａおよび吸熱部４３Ｂの少なくともいずれか一方によって温度が調節された空気の湿度を調節する湿度調節部４５を備えている。湿度調節部４５によって湿度が調整された実質的に同一湿度を有する空気が、複数のダクト４４のそれぞれによって導かれて、複数の容器５０内の複数の空間のそれぞれへ到達する。そのため、複数の容器５０内の複数の空間の温度分布の均一化に加えて、複数の容器５０内の複数の空間の湿度分布の均一化を図ることができる。
【００６３】
本実施の形態においては、複数のダクト４４のそれぞれは、容器５０の下方の位置であって、かつ、植物２０の複数の茎２０ｂ１，２０ｂ２の伸長しない位置に設けられている。そのため、複数のダクト４４が、光源５が発した光の容器５０内への進入、および、植物２０の成長を妨げない。また、容器５０と光源５との間の距離が低減される。そのため、植物２０に近い位置に光源５を設置することが可能になる。そのため、光合成のためのエネルギー効率を向上させることができる。
【００６４】
また、上記した温度変化部４３が一般に使用されている空気調和機であれば、容器５０内の空気の温度と容器５０内の空気中に生じる風の速度との双方を容易に調節することができる。容器５０内の風の速度は、好ましくは、０．１０ｍ／ｓ〜２．０ｍ／ｓ、より好ましくは、０．３０ｍ／ｓ〜１．５  ｍ／ｓであり、さらに好ましくは、０．６０ｍ／ｓ〜１．２ｍ／ｓである。容器５０内の空気の温度は、育成する植物２０の種類等に応じて適宜決定される。
【００６５】
また、一般に、空気調和機は、温度調節機能、湿度調節機能、および送風機能の全てを有している。したがって、１台の空気調和機で複数の容器５０内の空気の温度、湿度、および風量の３つの環境条件を調節することができる。
【００６６】
本実施の形態においては、光源５が発する光を極力遮らないようにするため、ダクト４４は、容器５０の下側の開口部５０Ａを貫通するように設けられている。しかしながら、複数のダクト４４のそれぞれは、透明材料によって形成されていれば、容器５０の側面または上面を貫通するように設けられていてもよい。
【００６７】
（実施の形態４）
以下、図７および図８を用いて、実施の形態４の植物育成装置１００を説明する。本実施の形態の植物育成装置１００は、実施の形態１の植物育成装置１００とほぼ同様である。そのため、以下、本実施の形態の植物育成装置１００と実施の形態１の植物育成装置１００との相違点を主に説明する。
【００６８】
図７および図８に示されるように、本実施の形態においては、２本以上の茎２０ｂ１，２０ｂ２，２０ｂ３は、１つの株２０ｂを構成する複数の茎２０ｂ１，２０ｂ２，２０ｂ３である。株とは、根元で枝分かれした複数の茎が束になっているものを意味する。そのため、それぞれが１つの株２０ｂを構成する複数の茎２０ｂ１，２０ｂ２，２０ｂ３を内包する複数の容器５０内の複数の空間の温度を容易に均一化することができる。
【００６９】
なお、図７においては１つの容器５０しか描かれておらず、また、図８には２つの容器５０しか描かれていないが、実際には、図７における植物育成装置１００の筐体１内の奥行方向に複数の容器５０が列をなして並んでいる。本実施の形態においても、複数の容器５０内のそれぞれの空気の温度は、実質的に同一の温度に調整される。つまり、複数の容器５０内の複数の空間の温度分布のばらつきが抑制される。
【００７０】
また、本実施の形態によれば、茎の数が同一である場合に、容器５０が１本の茎のみを受け入れる場合に比較して、容器５０の数が少ないため、容器５０の設置の手間、ならびに、容器５０および配管等の製造コストを低減することができる。さらに、温度調節のための設備の占有スペースを小さくすることができる。
【００７１】
なお、容器５０内の空間は、１つの共通の空間であるが、容器５０の開口部５０Ａが茎２０ｂ１，２０ｂ２，２０ｂ３をそれぞれ通過させる複数の開口部に分割されていてもよい。つまり、開口部５０Ａに複数の貫通孔を有する部材が取り付けられていてもよい。また、本実施の形態においても、複数の容器５０のそれぞれは、同一の形状および同一の大きさを有していることが望ましい。
【００７２】
（実施の形態５）
以下、図９および図１０を用いて、実施の形態５の植物育成装置１００を説明する。本実施の形態の植物育成装置１００は、実施の形態２の植物育成装置１００とほぼ同様である。そのため、以下、本実施の形態の植物育成装置１００と実施の形態２の植物育成装置１００との相違点を主に説明する。
【００７３】
本実施の形態においては、実施の形態４と同様に、２本以上の茎は、１つの株２０ｂを構成する複数の茎２０ｂ１，２０ｂ２，２０ｂ３である。そのため、それぞれが１つの株２０ｂを構成する複数の茎２０ｂ１，２０ｂ２，２０ｂ３を内包する複数の容器５０内の複数の空間の温度を容易に均一化することができる。そのため、複数の容器５０内のそれぞれの空気の温度は、実質的に同一の温度に調整される。つまり、複数の容器５０内の複数の空間の温度分布のばらつきが抑制される。
【００７４】
（実施の形態６）
以下、図１１および図１２を用いて、実施の形態６の植物育成装置１００を説明する。本実施の形態の植物育成装置１００は、実施の形態３の植物育成装置１００とほぼ同様である。そのため、以下、本実施の形態の植物育成装置１００と実施の形態３の植物育成装置１００との相違点を主に説明する。
【００７５】
本実施の形態においても、実施の形態４および５と同様に、２本以上の茎は、１つの株２０ｂを構成する複数の茎２０ｂ１，２０ｂ２，２０ｂ３である。そのため、それぞれが１つの株２０ｂを構成する複数の茎２０ｂ１，２０ｂ２，２０ｂ３を内包する複数の容器５０内の複数の空間の温度を容易に均一化することができる。そのため、複数の容器５０内のそれぞれの空気の温度は、実質的に同一の温度に調整される。つまり、複数の容器５０内の複数の空間の温度分布のばらつきが抑制される。
【００７６】
（実施の形態７）
以下、図１３および図１４を用いて、実施の形態７の植物育成装置１００を説明する。本実施の形態の植物育成装置１００は、実施の形態３の植物育成装置１００とほぼ同様である。そのため、以下、本実施の形態の植物育成装置１００と実施の形態３の植物育成装置１００との相違点を主に説明する。
【００７７】
本実施の形態の植物育成装置１００は、弾性部材５５の代わりに、図１３および図１４に示されるような固定部１０１および可動部１０２を備えている。固定部１０１は、不透明材料で形成されている。この場合、固定部１０１を光が通過しない。一般に、植物２０は、光の存在する方向に向かって成長する性質を有している。そのため、その茎２０ｂ１は、可動部１０２の内周内の領域としての開口部５０Ａに向かって伸長する。その結果、開口部５０Ａの面積が小さくても、茎２０ｂ１の先端は、開口部５０Ａを確実に通過するように伸長する。
【００７８】
可動部１０２は、制御部３０によって制御される。図１３および図１４から分かるように、本実施の形態においては、可動部１０２は、カメラの絞り機構と同様の構造および機能を有する絞り機構である。本実施の形態においては、植物育成装置１００は、容器５０の開口部５０Ａの近傍に、茎２０ｂ１，２０ｂ２の先端が空間内に入ったことを検知する検知部１０４を含んでいる。検知部１０４は、植物２０の茎の先端が、開口部５０Ａを通過し、容器５０の内部空間へ進入したことを検出することができるものであれば、いかなるものであってもよい。たとえば、検知部１０４は、赤外線ＬＥＤ（Light Emitting Diode）等の発光素子と発光素子が発した光を受け取るフォトトランジスタ等の受光素子との組合せからなるセンサであってもよい。
【００７９】
この場合、制御部３０は、前述の検知部１０４が茎２０ｂ１，２０ｂ２の先端が開口部５０Ａを通過したことを検出した場合に、複数の可動部１０２を図１３に示される開状態から図１４に示される閉状態へ変化させる。開状態は、開口部５０Ａと茎２０ｂ１，２０ｂ２のそれぞれとの間の隙間が相対的に大きい状態である。閉状態は、開口部５０Ａと茎２０ｂ１，２０ｂ２のそれぞれとの間の隙間が相対的に小さい状態である。図１３および図１４においては、複数の容器５０のそれぞれが、１本ずつ茎を受け入れる例が示されているが、複数の茎を受け入れてもよい。
【００８０】
検知部１０４が茎２０ｂ１，２０ｂ２のいずれかの先端を検知したことに基づいて可動部１０２を開状態から閉状態へ変化させれば、開口部５０Ａの内周と茎２０ｂ１，２０ｂ２のそれぞれとの間の隙間が小さくなる。これによっても、容器５０の内部空間の空気と容器５０の外部空間の空気との大幅な入れ換えを抑制することができる。それにより、容器５０内の空間の温度の調節をより容易にすることができる。ただし、植物２０の成長に必要な空気は、開口部５０Ａの内周と茎２０ｂ１，２０ｂ２のそれぞれとの間の隙間を経由して、容器５０内へ吸い込まれたり、容器５０外へ排出されたりする。
【００８１】
図１３に示されるように、可動部１０２は、複数の平板状のシャッタ１０２ａ，１０２ｂ，１０２ｃ，１０２ｄ，１０２ｅ，１０２ｆ，１０２ｇ，１０２ｈを含んでいる。複数の平板状のシャッタ１０２ａ，１０２ｂ，１０２ｃ，１０２ｄ，１０２ｅ，１０２ｆ，１０２ｇ，１０２ｈは、それぞれ、複数の柔軟性部材１０３ａ，１０３ｂ，１０３ｃ，１０３ｄ，１０３ｅ，１０３ｆ，１０３ｇ，１０３ｈを有している。複数の柔軟性部材１０３ａ〜１０３ｈは、それぞれ、複数の平板状のシャッタ１０２ａ〜１０２ｈの内側の先端部を構成している。ただし、可動部１０２は、開口部５０Ａの内周面と茎２０ｂ１の外周面との間の隙間の面積を小さくすることができる構造であれば、いかなる構造を有していてもよい。
【００８２】
可動部１０２は、図１３に示される開状態から図１４に示される閉状態へ変化する。図１４から分かるように、複数の柔軟性部材１０３ａ，１０３ｂ，１０３ｃ，１０３ｄ，１０３ｅ，１０３ｆ，１０３ｇ，１０３ｈは、植物２０の茎２０ｂ１に接触し、茎２０ｂ１の形状に応じて弾性変形する。そのため、茎２０ｂ１，２０ｂ２が損傷することが防止されている。
【００８３】
前述のように、可動部１０２は、開口部５０Ａと茎２０ｂ１または茎２０ｂ２との間の隙間を小さくすることができるものであれば、いかなるものであってもよい。したがって、可動部１０２は、絞り機構の代わりに、スポンジ等の２つの弾性部材が茎２０ｂ１または茎２０ｂ２を挟むことにより、開口部５０Ａと茎２０ｂ１または茎２０ｂ２との間の隙間を小さくする機構であってもよい。
【００８４】
可動部１０２は、たとえば、植物２０の育成の開始からある時間が経過すると、図１３に示される開状態から図１４に示される閉状態へ変化してもよい。この場合、制御部３０が、植物２０の育成の開始後のある時点から計時を開始するタイマを有している。タイマは、ある時点からある時間を計時したときに、つまり、茎２０ｂ１の先端が容器５０の最下端の開口部５０Ａを通過すると予想される時刻に、制御部３０は、可動部１０２を開状態から閉状態へ変化させる。
【００８５】
本実施の形態においては、実施の形態３において説明された１つの温度変化部４３および複数のダクト４４からなる複数の温度調節部４０が用いられている。しかしながら、本実施の形態においても、実施の形態１と同様の透明な環状流路Ｄを有する温度調節部４０、または、実施の形態２と同様の加熱部４１および吸熱部４２を有する温度調節部４０が用いられてもよい。いずれにしても、複数の容器５０内のそれぞれの空気の温度は、実質的に同一の温度に調整される。つまり、複数の容器５０内の複数の空間の温度分布のばらつきが抑制される。
【００８６】
また、本実施の形態においては、実施の形態１〜３と同様に、容器５０が１本の茎２０ｂ１を受け入れる例のみが図示されている。しかしながら、実施の形態４〜６において説明されたように、容器５０が１つの株２０ｂを構成する複数の茎２０ｂ１，２０ｂ２，２０ｂ３を受け入れてもよい。この場合、複数の茎２０ｂ１，２０ｂ２，２０ｂ３と柔軟性部材１０３ａ，１０３ｂ，１０３ｃ，１０３ｄ，１０３ｅ，１０３ｆ，１０３ｇ，１０３ｈとの間には、ある程度大きな隙間が残存する。しかしながら、容器５０の空気がその隙間を通過する量は小さいため、この場合においても、容器５０内の空気の温度調整を容易に行うことができる。この場合には、制御部３０内に設けられたタイマが植物の育成の開始後のある時点からある時間を計時したときに、１つの株２０ｂを構成する複数の茎２０ｂ１，２０ｂ２，２０ｂ３の先端の全てが開口部５０Ａを通過して容器５０の内部空間に進入したとみなす。それにより、制御部３０が可動部１０２を開状態から閉状態へ変化させる。また、タイマを使用せずに、植物２０の育成者のスイッチ操作により、可動部１０２を開状態から閉状態へ変化させてもよい。この場合、まず、複数の容器５０のそれぞれにおいて、複数の植物２０の育成者が目視で１つの株２０ｂを構成する複数の茎２０ｂ１，２０ｂ２，２０ｂ３の先端の全てが開口部５０Ａを通過して容器５０の内部空間に進入したことを確認する。その後、可動部１０２を開状態から閉状態へ変化させるためのスイッチが育成者によって操作される。
【００８７】
以下、実施の形態の植物育成装置１００の特徴的構成およびそれにより得られる効果を説明する。
【００８８】
（１）  植物育成装置１００は、複数の容器５０および温度調節部４０を備えている。複数の容器５０のそれぞれは、１または２本以上の茎２０ｂ１，２０ｂ２の先端が通過する開口部５０Ａを有している。複数の容器５０のそれぞれは、１または２本以上の茎２０ｂ１，２０ｂ２の先端側の部分を内包するように上下が反転した状態で設置されている。複数の容器５０のそれぞれは、少なくとも一部が光透過性を有する。温度調節部４０は、複数の容器５０内の複数の空間の温度分布のばらつきが抑制されるように複数の空間の温度を調節する。これにより、複数の容器５０内の複数の空間の温度を均一化することができる。その結果、複数の茎２０ｂ１，２０ｂ２ごとの温度環境の均一化を図ることができる。
【００８９】
（２）  前述の２本以上の茎は、１つの株２０ｂを構成する複数の茎２０ｂ１，２０ｂ２，２０ｂ３であってもよい。これにより、株２０ｂごとの温度環境の均一化を図ることができる。
【００９０】
（３）  複数の容器５０のうちの隣接する容器５０同士は、互いに接触するように設置されるか、または、一体成形されていることが好ましい。これにより、複数の空間の温度の均一化の効果を向上させることができる。
【００９１】
（４）  温度調節部４０は、温度変化部Ａ、ポンプＰ、および複数の環状流路Ｄを含んでいてもよい。この場合、温度変化部Ａは、加熱部Ａ１および吸熱部Ａ２のうちの少なくともいずれか一方を有し、加熱部Ａ１および吸熱部Ａ２のうちの少なくともいずれか一方の周辺を通過する流体の温度を調節する。ポンプＰは、温度変化部Ａから流体を送り出す。複数の環状流路Ｄのそれぞれは、温度変化部Ａと複数の容器５０のうちのいずれか１つとの間で流体を循環させる。これにより、１つの温度調節部４０で、複数の空間の温度調節を行うことができる。
【００９２】
（５）  複数の環状流路Ｄのそれぞれは、複数の容器のうちのいずれか１つに巻き付けられた透明な環状流路Ｄである。これにより、植物２０の地上部２２に照射される光の量を低減することなく、複数の空間の温度調節の精度を高めることができる。
【００９３】
（６）  温度調節部４０は、それぞれが複数の容器５０のいずれか１つに取り付けられた複数の温度変化部を含んでいてもよい。この場合、複数の温度変化部のそれぞれは、空気に熱を与える加熱部４１および空気から熱を受け取る吸熱部４２のうちの少なくともいずれか一方を有している。これにより、個々の温度変化部の加熱能力または吸熱能力を小さくすることができる。
【００９４】
（７）  加熱部４１は、容器５０の上下方向の中央部より下側の位置に取り付けられ、吸熱部４２は、容器５０の上下方向の中央部より上側の位置に取り付けられていることが好ましい。これにより、容器５０内の空気の対流を利用して効率的に容器５０内の空間の温度の均一化を図ることができる。
【００９５】
（８）  温度調節部４０は、温度変化部４３、送風部４６、および複数のダクト４４を含んでいてもよい。この場合、温度変化部４３は、加熱部４３Ａおよび吸熱部４３Ｂのうちの少なくともいずれか一方を有し、加熱部４３Ａおよび吸熱部４３Ｂのうちの少なくともいずれか一方の周辺を通過する空気の温度を調節する。送風部４６は、温度変化部４３から空気を送り出す。複数のダクト４４のそれぞれは、温度変化部４３から複数の空間のうちのいずれか１つまで空気を導く。これにより、１つの温度変化部４３で、複数の容器５０内の複数の空間の温度調節を行うことができる。
【００９６】
（９）  複数のダクト４４のそれぞれは、複数の容器５０の下側の位置から複数の空間のうちのいずれか１つまで延びていることが好ましい。これにより、植物２０の地上部２２に照射される光の量を低減することなく、複数の容器５０内の複数の空間の温度調節を行うことができる。
【００９７】
（１０）  植物育成装置１００は、温度変化部４３によって温度が調節された空気の湿度を調節する湿度調節部４５をさらに備えていることが好ましい。これにより、複数の容器５０内の複数の空間の温度分布の均一化に加えて、複数の容器５０内の複数の空間の湿度分布の均一化を図ることができる。
【００９８】
（１１）  複数の容器５０のそれぞれは、弾性部材５５を含んでいることが好ましい。弾性部材５５は、容器５０内の空間への１または２本以上の茎２０ｂ１，２０ｂ２の先端の進入を許容する切れ込み、隙間、または貫通孔を有している。弾性部材５５は、容器５０の内部空間と容器５０の外部空間とを仕切っている。これにより、容器５０内の空間の気密性を向上させることにより、容器５０内の空間の温度の調節をより容易にすることができる。
【００９９】
（１２）  植物育成装置１００は、複数の可動部１０２および制御部３０を備えていてもよい。この場合、複数の可動部１０２のそれぞれは、複数の容器５０のいずれか１つに設けられている。複数の可動部１０２のそれぞれは、開状態から閉状態へ変化する。開状態は、開口部５０Ａと１または２本以上の茎２０ｂ１，２０ｂ２との間の隙間が相対的に大きい状態である。閉状態は、開口部５０Ａと１または２本以上の茎２０ｂ１，２０ｂ２との間の隙間が相対的に小さい状態である。これによっても、容器５０の内部空間と容器５０の外部空間との大幅な空気の入れ換えを抑制することにより、複数の容器５０内の複数の空間の温度の調節をより容易に行うことができる。
【符号の説明】
【０１００】
２０  植物
２０ｂ  株
２０ｂ１，２０ｂ２，２０ｂ３  茎
２２  地上部
３０  制御部
４０  温度調節部
４１，Ａ１，４３Ａ  加熱部
４２，Ａ２，４３Ｂ  吸熱部
４３，Ａ  温度変化部
４４  ダクト
４６  送風部
５０  容器
５０Ａ  開口部
５５  弾性部材
１００  植物育成装置
１０２  可動部
Ｐ  ポンプ
Ｄ  環状流路
【図１】
2017147970.tif 000003
【図２】
2017147970.tif 000004
【図３】
2017147970.tif 000005
【図４】
2017147970.tif 000006
【図５】
2017147970.tif 000007
【図６】
2017147970.tif 000008
【図７】
2017147970.tif 000009
【図８】
2017147970.tif 000010
【図９】
2017147970.tif 000011
【図１０】
2017147970.tif 000012
【図１１】
2017147970.tif 000013
【図１２】
2017147970.tif 000014
【図１３】
2017147970.tif 000015
【図１４】
2017147970.tif 000016